(57)【要約】      （修正有）【課題】回転軸と直角の全方向に風を送り出すことができると共に、モーター機構を１８０°首振りさせることにより周囲全方向３６０°に立体的に風を送り出すことができる扇風機を提供する。【解決手段】水平方向に延伸する回転軸２と、前記回転軸と平行する付け根を有する放射状に延伸する複数枚の羽根４と、前記回転軸を回転駆動するモーター機構１と、前記モーター機構を下方から支持する支持柱１１と、前記支持柱の他端に取付けられた台座１２から成る扇風機１００である。羽根の外周側に設けた羽根ガード５の上下に、上下部風ガイドを設けることにより回転軸に対して垂直な左右両方向や、側部風ガイドを設けることにより、左右のいずれか１方向に風を送り出すことができる。【選択図】図１
0003234799.tif 000002
【実用新案登録請求の範囲】
【請求項１】
水平方向に延伸する回転軸と、
前記回転軸と平行する付け根を有する放射状に延伸する複数枚の羽根と、
前記回転軸を回転駆動するモーター機構と、
前記モーター機構を下方から支持する支持柱と、
前記支持柱の他端に取付けられた台座から成ることを特徴とする扇風機。
【請求項２】
請求項1に記載の羽根は平板で、回転軸に対して平行な断面が長方形又は中央部が凹んだ弓型形状のいずれか1つから成ることを特徴とする扇風機。
【請求項３】
請求項1から２のいずれか1項に記載の前記モーター機構に、モーター機構を左右に首振りする首振り機構が設けられていることを特徴とする扇風機。
【請求項４】
請求項１から３のいずれか1項に記載の前記羽根の外周側には羽根ガードが設けられ、前記羽根ガードの上部と下部に夫々風ガイドを設けたことを特徴とする扇風機。
【請求項５】
請求項４に記載の前記羽根ガードの上部または下部風ガイドのいずれか一方に収納、且つ引き出す事ができ、前記上部と下部風ガイドに挟まれた左右いずれか1方の開口部を塞ぐ側部風ガイドを設けたことを特徴とする扇風機。
【考案の詳細な説明】
【技術分野】
【０００１】
本考案は、扇風機に関するものである。
【背景技術】
【０００２】
従来の扇風機は、複数の螺旋状羽根、前記羽根を固定し回転軸に結合する羽根固定部、回転軸、前記回転軸を回転駆動するモーター機構、モーター機構を首振りさせる首振り機構、前記モーター機構を支持する支持柱およびその台座等から構成されたものがある。このような従来の扇風機は、風を送り出す方向は回転軸に平行な前方一方向のみに限定されている。前記首振り機構によって所定の角度を首振りしても、風を送り出す範囲は回転軸に平行な前方で首振りの範囲に限られている。
【先行技術文献】
【特許文献】
【０００３】
【特許文献１】実開１９８４−１９２６９５
【特許文献２】実登第３１９８４７３
【考案の概要】
【考案が解決しようとする課題】
【０００４】
上記問題点に鑑みて、本考案は回転軸と直角の全方向に風を送り出すことができると共に、モーター機構を180°首振りさせることにより周囲全方向３６０°に立体的に風を送り出すことができる扇風機の提供を目的とする。
【課題を解決するための手段】
【０００５】
本考案に係る扇風機は、
水平方向に延伸する回転軸と、
前記回転軸と平行する付け根を有する放射状に延伸する複数枚の羽根と、
前記回転軸を回転駆動するモーター機構と、
前記モーター機構を下方から支持する支持柱と、
前記支持柱の他端に取付けられた台座から成ることを特徴とする。
【０００６】
本考案に係る他の扇風機は、
前記記載の羽根は平板で、回転軸に対して平行な断面が長方形又は中央部が凹んだ弓型形状のいずれか1つから成ることを特徴とする。
【０００７】
本考案に係る他の扇風機は、
前記記載のモーター機構には、モーター機構を左右に首振りする首振り機構が設けられていることを特徴とする。
【０００８】
本考案に係る他の扇風機は、
前記記載の扇風機に、前記羽根の外周側には羽根ガードが設けられ、前記羽根ガードの上部と下部に夫々風ガイドを設けたことを特徴とする。
【０００９】
本考案に係る他の扇風機は、
前記記載の扇風機に、前記羽根ガードの上部または下部風ガイドのいずれか一方に収納、且つ引き出す事ができ、前記上部と下部風ガイドに挟まれた左右いずれか1方の開口部を塞ぐ側部風ガイドを設けたことを特徴とする。
【００１０】
本考案により、１台の扇風機で立体の全周方向３６０°や、水平の全周方向、水平左右方向のみ、水平の一方向のみ、夫々に風を送り出すことができる。
【考案の効果】
【００１１】
上記構成によれば、本考案の扇風機は、
水平方向に延伸する回転軸と、
前記回転軸と平行する付け根を有する放射状に延伸する複数枚の羽根と、
前記回転軸を回転駆動するモーター機構と、
前記モーター機構を下方から支持する支持柱と、
前記支持柱の他端に取付けられた台座  で形成されているので、
１台の扇風機のみで立体の全周方向３６０°や、水平の全周方向、水平左右方向のみ、水平の一方向のみ、夫々に風を送り出すことができる。
【図面の簡単な説明】
【００１２】
【図１】本実施形態に係る扇風機の側面図である。
【図２】本実施形態に係る羽根と羽根固定部の結合状態を示し、（A)は正面図、                （Ｂ）は側面図である。
【図３】本実施形態に係る羽根が羽根固定部に対して、回転方向に対して前方に                傾斜して取付けられた正面図である。
【図４】本実施形態の羽根固定部に取付けた羽根の断面が、回転方向に対し中                  央部が凹んだ弓型形状の羽根断面図を示す。
【図５】本実施形態に係る羽根ガードの内側への上部・下部の風ガイドの取付状                態を示し、（Ａ）は正面図、（Ｂ）は正面図Ａ−Ａの断面図を示す。
【図６】本実施形態に係る羽根ガードの内側に取付けた側部風ガイドを示す。
【考案を実施するための形態】
【００１３】
次に本考案を実施するための形態について、図面を参照しながら詳細に
説明する。ただし、以下に示す実施例は、本考案の技術的思想を具体化する
ための扇風機の一例を示すものであって、以下のものに特定するものではない。
【実施例】
【００１４】
図面を参照しながら、本考案の具体的な実施例について説明する。図１は本考案に係る扇風機本体１００の側面図を示す。
この実施形態において、扇風機本体１００は、台座１２に垂直に設けられた支持柱１１の上端部にモーター機構１が設けられている。このモーター機構１にはモーター機構１を水平方向に首振りさせる首振り機構等を含んでいる。
回転軸２はモーター機構１の回転軸と同軸上に連結されており、回転軸２の先端部には中央部に回転軸挿入穴９が設けれた孔羽根固定部３が取付けられている。この羽根固定部３には、回転軸挿入穴９と直角方法に複数枚の羽根４が等間隔で放射状に羽根固定部３と一体化して設けられている。羽根４の外周側には羽根４を囲むように羽根ガード５が配置されている。羽根ガード５は断面円形の鋼線等で作られており、風が自由に通過することができる。図中の矢印は羽根を回転させたときの風の流れ方向を示す。台座１２にはモーター機構や首振り機構を電気的に制御するスイッチパネル１３が取付けられている。
【００１５】
この実施例においては、図2に示すように、羽根固定部３に固定された各羽根４は板状で、その取付部は回転軸２に対して平行方向で、かつ垂直方向の放射状に設けられている。先端部は羽根固定部３との接合部よりも広幅としており、各羽根４の平板部は回転軸２対して垂直方向に形成されているので、羽根４を回転したとき、回転軸２を中心とし全周３６０°の全方向に同時に風を送り出すことができる。
【００１６】
本考案の扇風機の各羽根４の羽根固定部への固定方法は、図3に示すように回転軸挿入穴９と羽根4の固定部を結ぶ垂直線に対して、回転方向の前方に傾斜角度を持たせて固定しても良い。また、図4に示すように、羽根４の水平断面形状を羽根３の回転方向に対して中央部が凹型の弓型形状にしても良い。このように羽根４の取付角度や形状を変えることにより送風する風量や風の広がりを変えることができ、前記実施形態に制限されずに様々な変化を加えることができる。
【００１７】
更に、図５に示すように、羽根ガード５の上下に夫々垂直に対して左右略４５°の範囲内に上部風ガイド６，下部風ガイド７を設けることにより、送風方向を回転軸に対して垂直な左右方向とすることができる。上下部風ガイド６，７の断面は略Ｃ字形状をしており、羽根ガード５への取付位置は羽根ガード５の内側としても外側としてもよい。上下部風ガイド６，７の着脱を頻繁に行う場合は、外側に取付ける方が取り扱いが簡単である。図中、矢印は羽根４が回転したときの風の方向を示す。
【００１８】
更に、図６に示すように、羽根ガード５に取付けた上下部風ガイド６，７の左右側面の開口部のいずれか一方に、側部風ガイド８を設ける事により、送風方向を回転軸に対して垂直な左右方向の何れか一方とすることができる。側部風ガイド８の断面は上下部風ガイド６，７と同様な略Ｃ字形状をしており、その外形は上下風ガイド６，７より少し小さめで何れか一方に収納できるようにしている。図中、矢印は羽根４が回転したときの風の方向を示す。
【００１９】
総括すると、本考案の扇風機は、回転軸１２の直角方向に複数枚の羽根４を設けることによって、回転軸２を中心とし全周３６０°の角度範囲に同時に風を送り出すことができる。モーター機構を１８０°首振りさせると立体方向全周360°に送風できる。また、上下部風ガイド６，７を設けることにより、１台の扇風機で回転軸に対して左右両方向や、上下部風ガイド６，７に加え側部風ガイドを設けることにより回転軸に対して左右いずれか１方向に風を送り出すことができる。
【産業上の利用可能性】
【００２０】
上記構成によれば、本考案の扇風機１００は、回転軸２に対して直角方向に羽根４を設けているので、扇風機１００を中心とした立体の全方向３６０°に風を送り出すことが必要となる場合に、また、上下部風ガイド６，７や、側部風ガイド８を設けることにより回転軸２に対して垂直な左右両方向やいずれか１方向に風を送り出すことができ、一台の扇風機だけで複数の利用方法があり、多用途に利用することができる。
【符号の説明】
【００２１】
１  モーター機構
２回転軸
３羽根固定部
４  羽根
５  羽根ガード
６  上部風ガイド
７  下部風ガイド
８  側部風ガイド
９  回転軸挿入穴
１１  支持柱
１２  台座
１３  スイッチパネル
１００  扇風機本体
【図１】
0003234799.tif 000003
【図２】
0003234799.tif 000004
【図３】
0003234799.tif 000005
【図４】
0003234799.tif 000006
【図５】
0003234799.tif 000007
【図６】
0003234799.tif 000008